(57)【要約】  【構成】  被写界は、イメージセンサ１２によって繰り返し撮影される。動画優先モードが選択されると、撮影された被写界像のうち手振れ補正エリアに属する被写界像が、ＬＣＤモニタ３４に表示される。手振れ補正エリアは、手振れに起因する被写界の変動が解消されるように、ＣＰＵ２４によって変更される。静止画優先モードが選択されると、撮影された被写界像の全体が、ＬＣＤモニタ３４に表示される。手振れ補正エリアのサイズを表すキャラクタは、この全範囲の被写界像に多重される。  【効果】  出力される被写界像はモード選択に応じて異なる画角を有する。第２画角モードが選択されたときは、キャラクタが被写界像に多重される。この結果、操作性が向上する。【選択図】  図１
2006238041.tif 000002
【特許請求の範囲】
【請求項１】
被写界を繰り返し撮影する撮影手段、
第１画角モードが選択されたとき前記撮影手段によって撮影された被写界像のうち第１範囲に属する第１被写界像を繰り返し出力する第１出力手段、
手振れに起因する前記被写界の変動が解消されるように前記第１範囲を変更する変更手段、
第２画角モードが選択されたとき前記撮影手段によって撮影された被写界像のうち前記第１範囲を包含する第２範囲に属する第２被写界像を繰り返し出力する第２出力手段、および
前記第１範囲のサイズを表すキャラクタを第２出力手段によって出力される第２被写界像に多重する多重手段を備える、ビデオカメラ。
【請求項２】
前記第１出力手段および前記第２出力手段の各々の出力に基づく動画像を表示する表示手段をさらに備える、請求項１記載のビデオカメラ。
【請求項３】
前記多重手段による前記キャラクタの多重位置を前記変更手段の変更動作に対応して更新する更新手段をさらに備える、請求項１または２記載のビデオカメラ。
【請求項４】
前記第１出力手段によって出力される第１被写界像を拡大する拡大手段をさらに備える、請求項１ないし３のいずれかに記載のビデオカメラ。
【請求項５】
動画記録操作が行われたとき前記第１出力手段によって出力される第１被写界像の画角と同じ画角を有する動画像を記録する第１記録手段をさらに備える、請求項１ないし４のいずれかに記載のビデオカメラ。
【請求項６】
前記第１記録手段による記録動作が行われる期間に前記変更手段を能動化する能動化手段をさらに備える、請求項５記載のビデオカメラ。
【請求項７】
静止画記録操作が行われたとき前記第２出力手段によって出力される第２被写界像の画角と同じ画角を有する静止画像を記録する第２記録手段をさらに備える、請求項１ないし６のいずれかに記載のビデオカメラ。
【請求項８】
ビデオカメラのプロセサに、
被写界を繰り返し撮影する撮影ステップ、
第１画角モードが選択されたとき前記撮影ステップによって撮影された被写界像のうち第１範囲に属する第１被写界像を繰り返し出力する第１出力ステップ、
手振れに起因する前記被写界の変動が解消されるように前記第１範囲を変更する変更ステップ、
第２画角モードが選択されたとき前記撮影手段によって撮影された被写界像のうち前記第１範囲を包含する第２範囲に属する第２被写界像を繰り返し出力する第２出力ステップ、および
前記第１範囲のサイズを表すキャラクタを第２出力手段によって出力される第２被写界像に多重する多重ステップを実行させるための、撮影制御プログラム。
【発明の詳細な説明】
【技術分野】
【０００１】
この発明は、ビデオカメラに関し、特にたとえば手振れ補正機能を備える、ビデオカメラに関する。
【背景技術】
【０００２】
従来のこの種のビデオカメラの一例が、特許文献１に開示されている。この従来技術によれば、撮影された被写界像は、フィールドメモリに書き込まれる。カメラの手振れは、動き検出回路によって検出され、イメージ抽出エリアは、動き検出回路の検出結果に応じてフィールドメモリ上を移動する。イメージ抽出エリアから読み出された部分被写界像は拡大ズーム処理を経てモニタ画面に表示される。
【特許文献１】特開平９−２５２４２５号公報［H04N 5/235］
【発明の開示】
【発明が解決しようとする課題】
【０００３】
しかし、従来技術のような部分被写界像の抽出動作は、動画像を記録するときは有利である一方、静止画像を記録するときは不利である。つまり、画像の性質の相違から静止画像については動画像よりも高い解像度が求められるため、被写界像の一部を抽出する従来技術は、静止画の記録動作には適さない。
【０００４】
ここで、イメージ抽出エリアから読み出された複数の部分被写界像に基づく動画像をモニタに表示する一方で、シャッタボタンの操作に応答してフィールドメモリに確保された全体被写界像を記録するようにすれば、静止画像の解像度の低下を防止できる。しかし、この方法では静止画像の画角を確認できず、操作性に問題がある。
【０００５】
それゆえに、この発明の主たる目的は、操作性を向上させることができる、ビデオカメラを提供することである。
【課題を解決するための手段】
【０００６】
請求項１の発明に従うビデオカメラは、被写界を繰り返し撮影する撮影手段(S41)、第１画角モードが選択されたとき前記撮影手段によって撮影された被写界像のうち第１範囲に属する第１被写界像を繰り返し出力する第１出力手段(S13, S95)、手振れに起因する前記被写界の変動が解消されるように前記第１範囲を変更する変更手段(S5, S79)、第２画角モードが選択されたとき前記撮影手段によって撮影された被写界像のうち前記第１範囲を包含する第２範囲に属する第２被写界像を繰り返し出力する第２出力手段(S17, S99)、および前記第１範囲のサイズを表すキャラクタを第２出力手段によって出力される第２被写界像に多重する多重手段(S21, S103)を備える。
【０００７】
被写界は、撮影手段によって繰り返し撮影される。第１画角モードが選択されると、撮影された被写界像のうち第１範囲に属する第１被写界像が、第１出力手段によって繰り返し出力される。第１範囲は、手振れに起因する被写界の変動が解消されるように、変更手段によって変更される。第２画角モードが選択されると、撮影された被写界像のうち第１範囲を包含する第２範囲に属する第２被写界像が、第２出力手段によって繰り返し出力される。多重手段は、第１範囲のサイズを表すキャラクタを第２被写界像に多重する。
【０００８】
このように、出力される被写界像はモード選択に応じて異なる画角を有する。第２画角モードが選択されたときは、キャラクタが被写界像に多重される。このため、操作性が向上する。
【０００９】
請求項２の発明に従うビデオカメラは、請求項１に従属し、第１出力手段および第２出力手段の各々の出力に基づく動画像を表示する表示手段(34)をさらに備える。これによって、被写界像を容易に確認できる。
【００１０】
請求項３の発明に従うビデオカメラは、請求項１または２に従属し、多重手段によるキャラクタの多重位置を変更手段の変更動作に対応して更新する更新手段(S7, S81)をさらに備える。これによって、いわゆる手振れ補正動作が行われていることをキャラクタによって確認することができる。
【００１１】
請求項４の発明に従うディジタルカメラは、請求項１ないし３のいずれかに従属し、第１出力手段によって出力される第１被写界像を拡大する拡大手段(S5, S97)をさらに備える。これによって、出力される画像のサイズを第１被写界像と第２被写界像との間で一致させることができる。
【００１２】
請求項５の発明に従うビデオカメラは、請求項１ないし４のいずれかに従属し、動画記録操作が行われたとき第１出力手段によって出力される第１被写界像の画角と同じ画角を有する動画像を記録する第１記録手段(S45)をさらに備える。
【００１３】
請求項６の発明に従うビデオカメラは、請求項５に従属し、第１記録手段による記録動作が行われる期間に変更手段を能動化する能動化手段(S93)をさらに備える。したがって、第１記録手段が不能化される期間は、手振れ補正動作が停止される。この結果、消費電力の削減が可能となる。
【００１４】
請求項７の発明に従うビデオカメラは、請求項１ないし６のいずれかに従属し、静止画記録操作が行われたとき第２出力手段によって出力される第２被写界像の画角と同じ画角を有する静止画像を記録する第２記録手段(59)をさらに備える。
【００１５】
請求項８の発明に従う撮影制御プログラムは、ビデオカメラのプロセサに、被写界を繰り返し撮影する撮影ステップ(S41)、第１画角モードが選択されたとき撮影ステップによって撮影された被写界像のうち第１範囲に属する第１被写界像を繰り返し出力する第１出力ステップ(S13, S95)、手振れに起因する被写界の変動が解消されるように第１範囲を変更する変更ステップ (S5, S79)、第２画角モードが選択されたとき撮影手段によって撮影された被写界像のうち第１範囲を包含する第２範囲に属する第２被写界像を繰り返し出力する第２出力ステップ (S17, S99)、および第１範囲のサイズを表すキャラクタを第２出力手段によって出力される第２被写界像に多重する多重ステップ (S21, S103)を実行させるための、撮影制御プログラムである。
【発明の効果】
【００１６】
この発明によれば、出力される被写界像はモード選択に応じて異なる画角を有する。第２画角モードが選択されたときは、キャラクタが被写界像に多重される。このため、操作性が向上する。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例のディジタルビデオカメラ１０は、光学レンズ１２を含む。被写界の光学像は、光学レンズ１２を通してイメージセンサ１４の撮像面に照射され、光電変換を施される。これによって、被写界像を表す電荷つまり生画像信号が生成される。
【００１９】
電源が投入されると、動画撮影処理が開始される。このとき、ＣＰＵ２４は、プリ露光および間引き読み出しの繰り返しをＴＧ／ＳＧ１４に命令する。ＴＧ／ＳＧ１４は、イメージセンサ１２の撮像面のプリ露光と、これによって得られた電荷の間引き読み出しとを実行するべく、複数のタイミング信号をイメージセンサ１２に与える。撮像面で生成された生画像信号は、１／３０秒に１回の割合で発生する垂直同期信号Ｖｓｙｎｃに応答して、ラスタ走査に従う順序で間引き読み出しを施される。イメージセンサ１２からは、低解像度の生画像信号が３０ｆｐｓのフレームレートで出力される。
【００２０】
イメージセンサ１２から出力された生画像信号は、ＣＤＳ／ＡＧＣ／ＡＤ回路１６によって相関２重サンプリング，自動ゲイン調整およびＡ／Ｄ変換の一連の処理を施される。信号処理回路２０は、ＣＤＳ／ＡＧＣ／ＡＤ回路１６から出力された生画像データに白バランス調整，色分離，ＹＵＶ変換などの処理を施し、ＹＵＶ形式の画像データをメモリ制御回路２６を通してＳＤＲＡＭ２８に書き込む。
【００２１】
図２に示すように、ＳＤＲＡＭ２８は、表示画像エリア２８ａ，静止画像エリア２８ｂ，ＪＰＥＧエリア２８ｃ，ＭＰＥＧエリア２８ｄおよびキャラクタ画像エリア２８ｅを有する。信号処理回路２０からの画像データは、表示画像エリア２８ａに書き込まれる。
【００２２】
動き検出回路２２は、信号処理回路２０によって作成された画像データのＹ成分を１／３０秒毎に取り込み、手振れに起因する被写界の動きベクトルを取り込まれたＹ成分に基づいて検出する。検出された動きベクトルを示す動き検出情報は、ＣＰＵ２４に与えられる。ＣＰＵ２４は、図３に示す要領で表示画像エリア２８ａに割り当てられた手振れ補正エリアＥＸを、動き検出情報が示す動きベクトルが相殺されるように移動させる。ＣＰＵ２４はさらに、移動後の手振れ補正エリアＥＸの位置を規定するキャラクタデータをＳＤＲＡＭ２８のキャラクタ画像エリア２８ｅに書き込む。
【００２３】
キー入力装置４８のモード切換スイッチ４８ｓｗによって動画優先モードが選択されていれば、ＣＰＵ２４は、手振れ補正エリアＥＸを読み出しエリアとしかつズーム倍率を“初期値＊Ｋ１”とすることを、ビデオエンコーダ３０に命令する。一方、モード切換スイッチ４８ｓｗによって静止画優先モードが選択されていれば、ＣＰＵ２４は、表示画像エリア２８ａの全体を読み出しエリアとしかつズーム倍率を初期値とすることをビデオエンコーダ３０に命令し、さらにキャラクタ合成回路３６を起動する。なお、Ｋ１は“１”を上回る定数である。
【００２４】
動画優先モードが選択されたとき、ビデオエンコーダ３０は、手振れ補正エリアＥＸに格納された部分画像データをメモリ制御回路２６を通して１／３０秒毎に読み出し、読み出された部分画像データに“初期値＊Ｋ１”倍のズーム処理を施し、そしてズームされた画像データをコンポジットビデオ信号に変換する。
【００２５】
静止画優先モードが選択されたとき、ビデオエンコーダ３０は、表示画像エリア２８ａに格納された全体画像データをメモリ制御回路２６を通して１／３０秒毎に読み出し、読み出された全体画像データに初期値に従うズーム処理を施し、そしてズームされた画像データをコンポジットビデオ信号に変換する。
【００２６】
キャラクタ合成回路３６は、静止画優先モードが選択されたとき、キャラクタ画像エリア２８ｅに格納されたキャラクタデータをメモリ制御回路２６を通して１／３０秒毎に読み出し、読み出されたキャラクタデータをアナログ信号であるキャラクタ信号に変換する。
【００２７】
ビデオエンコーダ３０から出力されたコンポジットビデオ信号は、加算器３２を経てＬＣＤモニタ３４から出力される。静止画優先モードでは、キャラクタ合成回路３６から出力されたキャラクタ信号が、加算器３２によってコンポジットビデオ信号と加算される。
【００２８】
したがって、図３に示す画像データが表示画像エリア２８ａに格納されている場合、動画優先モードでは、縮小画角を有するスルー画像が図４（Ａ）に示す要領でＬＣＤモニタ３４に表示される。静止画優先モードでは、通常画角を有するスルー画像と手振れ補正エリアＥＸの位置を規定するキャラクタＳＰとが、図４（Ｂ）に示す要領でＬＣＤモニタ３４に表示される。ズーム倍率がモード間で異なるため、画角の相違に関わらず、表示画像のサイズはモード間で一致する。
【００２９】
動画記録キー４８ｍｖが操作されると、ＣＰＵ２４は、動画記録処理を開始するべく、ＭＰＥＧエンコーダ４０を起動する。ＭＰＥＧエンコーダ４０は、メモリ制御回路２６を通してＳＤＲＡＭ２８の表示画像エリア２８ａから画像データを読み出し、読み出された画像データをＭＰＥＧ４方式で圧縮し、そして圧縮画像データつまりＭＰＥＧデータをメモリ制御回路２６を通してＳＤＲＡＭ２８のＭＰＥＧエリア２８ｄに書き込む。
【００３０】
ＣＰＵ２４は、ＭＰＥＧエリア２８ｄに蓄積されたデータ量が閾値に達する毎に、メモリ制御回路２６を通してＭＰＥＧエリア２８ｄからＭＰＥＧデータを読み出す。読み出されたＭＰＥＧデータは、Ｉ／Ｆ４６を通して記録媒体４４に記録される。動画記録キー４８ｍｖが再度操作されると、ＣＰＵ２４は動画記録処理を終了する。つまり、ＣＰＵ２４は、ＭＰＥＧエンコーダ４０を停止し、ＭＰＥＧエリア２８ｃに残存するＭＰＥＧデータの記録が完了した後にＳＤＲＡＭ２８へのアクセスを終了する。
【００３１】
静止画記録キー４８ｓｔが操作されると、動画撮影処理が中断され、静止画撮影／記録処理が実行される。このとき、ＣＰＵ２４は、ＴＧ／ＳＧ１８に本露光および全画素読み出しを命令する。ＴＧ／ＳＧ１８は、イメージセンサ１４の撮像面に本露光を施し、かつこれによって生成された全ての電荷を読み出す。イメージセンサ１４からは、高解像度を有する１フレームの生画像信号が出力される。出力された生画像信号は上述と同じ要領でＹＵＶ形式の画像データに変換される。変換された画像データは、メモリ制御回路２６によってＳＤＲＡＭ２８の静止画像エリア２８ｂに書き込まれる。
【００３２】
ＣＰＵ２４は、キャラクタ合成回路３６を停止するとともに、静止画像エリア２８ｂの全体を読み出しエリアとしかつズーム倍率を“初期値／Ｋ２”とすることをビデオエンコーダ３０に命令する。なお、Ｋ２は“１”を上回る定数である。
【００３３】
ビデオエンコーダ３０は、静止画像エリア２８ｂに格納された画像データをメモリ制御回路２６を通して１／３０秒毎に読み出し、読み出された画像データに“初期値／Ｋ２”に従うズーム処理を施し、そしてズームされた画像データをコンポジットビデオ信号に変換する。変換されたコンポジットビデオ信号は、加算器３２を経てＬＣＤモニタ３４から出力される。この結果、通常画角を有するフリーズ画像がＬＣＤモニタ３４に表示される。フリーズ画像のサイズは、図４（Ａ）または図４（Ｂ）に示す表示画像のサイズと一致する。
【００３４】
ＣＰＵ２４はまた、画像データが静止画像エリア２８ｂに確保されるタイミングでＪＰＥＧエンコーダ３８を起動する。ＪＰＥＧエンコーダ３８は、メモリ制御回路２６を通して静止画像エリア２８ｂから画像データを読み出し、読み出された画像データをＪＰＥＧ方式で圧縮し、そして圧縮画像データつまりＪＰＥＧデータをメモリ制御回路２６を通してＪＰＥＧエリア２８ｃに書き込む。
【００３５】
１フレームのＪＰＥＧデータがＪＰＥＧエリア２８ｃに確保されると、ＣＰＵ２４は、メモリ制御回路２６を通してＪＰＥＧエリア２８ｃからＪＰＥＧデータを読み出す。読み出されたＪＰＥＧデータは、Ｉ／Ｆ４６を通して記録媒体４４に記録される。静止画撮影／記録処理が完了すると、動画撮影処理が再開される。
【００３６】
このように、動画優先モードでは、手振れ補正が施された一部のスルー画像が出力される。この結果、被写界を安定的に視認できる。また、静止画優先モードでは、スルー画像と記録される静止画像との間で画角が合わせられ、かつ手振れ補正処理に応じてキャラクタＳＰが画面上を移動する。この結果、記録される静止画像の画角および記録される動画像の画角の両方を容易に確認することができる。
【００３７】
ＣＰＵ２４は、図５に示す手振れ補正タスク，図６に示す表示制御タスク，図７に示す動画処理タスク，および図８に示す静止画処理タスクを並列的に実行する。なお、これらのタスクに対応する制御プログラムは、フラッシュメモリ４２に記憶される。
【００３８】
図５を参照して、ステップＳ１では、垂直同期信号Ｖｓｙｎｃが発生したか否かを判別する。ここでＹＥＳであればステップＳ３に進み、動き検出回路２２から動き検出情報を取り込む。ステップＳ５では、取り込まれた動き検出情報によって示される動きベクトルが相殺されるように、手振れ補正エリアＥＸをＳＤＲＡＭ２８の表示画像エリア２８ａ上で移動させる。ステップＳ７では、移動後の手振れ補正エリアＥＸの位置を規定するキャラクタデータをＳＤＲＡＭ２８のキャラクタ画像エリア２８ｅに書き込む。書き込み動作が完了すると、ステップＳ１に戻る。なお、今回のステップＳ７の処理によってキャラクタ画像エリア２８ｅに格納されたキャラクタデータは、次回のステップＳ７の処理によって消去される。
【００３９】
図６を参照して、ステップＳ１１では動画優先モードおよび静止画優先モードのいずれが選択されているかを判別する。動画優先モードが選択されていれば、ステップＳ１１からステップＳ１３に進み、ＳＤＲＡＭ２８の表示画像エリア２８ａに割り当てられた手振れ補正エリアＥＸを読み出しエリアとすることをビデオエンコーダ３０に命令する。ステップＳ１５では、“初期値＊Ｋ１”を示すズーム倍率をビデオエンコーダ３０に設定する。
【００４０】
モード切換スイッチ４８ｓｗによって静止画優先モードが選択されていればステップＳ１１からステップＳ１７に進み、ＳＤＲＡＭ２８に形成された表示画像エリア２８ａ全体を読み出しエリアとすることをビデオエンコーダ３０に命令する。ステップＳ１９では初期値を示すズーム倍率をビデオエンコーダ３０に設定し、続くステップＳ２１ではキャラクタ合成回路３６を起動する。
【００４１】
ステップＳ２３ではモード切換スイッチ４８ｓｗが操作されたか否かを判別し、ステップＳ２５ではフラグＦｓｔが“１”であるか否かを判別する。フラグＦｓｔは、静止画撮影／記録処理が実行中であることを示すフラグである。ステップＳ２３でＹＥＳであればステップＳ１１に戻り、ステップＳ２５でＹＥＳであればステップＳ２７に進む。
【００４２】
ステップＳ２７ではキャラクタ合成回路３６を停止し、ステップＳ２９では静止画像エリア２８ｂを読み出しエリアとすることをビデオエンコーダ３０に命令し、ステップＳ３１では“初期値／Ｋ２”を示すズーム倍率をビデオエンコーダ３０に設定する。フラグＦｓｔが“１”から“０”に更新されると、ステップＳ３３からステップＳ１１に戻る。
【００４３】
図７を参照して、ステップＳ４１では動画撮影処理を開始する。動画記録キー４８ｍｖが操作されるとステップＳ４３からステップＳ４５に進み、動画記録処理を開始する。動画記録キー４８ｍｖが再度操作されると、ステップＳ４７でＹＥＳと判断し、ステップＳ４９で動画記録処理を終了する。その後、ステップＳ４３に戻る。
【００４４】
図８を参照して、ステップＳ５１ではフラグＦｓｔを“０”に設定する。ステップＳ５３では静止画記録キー４８ｓｔが操作されたか否かを判別し、ＹＥＳであればステップＳ５５で動画撮影処理を中断する。ステップＳ５７ではフラグＦｓｔを“１”に設定し、ステップＳ５９では静止画撮影／記録処理を実行する。ステップＳ５９の処理が完了すると、ステップＳ６１で動画撮影処理を再開し、ステップＳ６３でフラグＦｓｔを“０”に戻し、そしてステップＳ５３に戻る。
【００４５】
以上の説明から分かるように、被写界は、動画撮影処理の開始(S41)によって繰り返し撮影される。動画優先モード（第１画角モード）が選択されると、撮影された被写界像のうち手振れ補正エリアＥＸ（第１範囲）に属する被写界像が、繰り返し出力される(S13)。手振れ補正エリアＥＸは、手振れに起因する被写界の変動が解消されるように変更される(S5)。静止画優先モードが選択されると、撮影された被写界像のうち全範囲（第２範囲）の被写界像が、繰り返し出力される(S17)。手振れ補正エリアＥＸのサイズを表すキャラクタＳＰは、この全範囲の被写界像に多重される(S21)。
【００４６】
このように、出力される被写界像はモード選択に応じて異なる画角を有する。第２画角モードが選択されたときは、静止画画角の中で動画画角を示すキャラクタが被写界像に多重される。このため、動画／静止画の画角を同時に把握でき、操作性が向上する。
【００４７】
他の実施例のディジタルビデオカメラ１０は、図５に示す手振れ補正タスクに代えて図９に示す手振れ補正タスクが実行され、図６に示す表示制御タスクに代えて図１０に示す表示制御タスクが実行される点を除き、図１実施例と同じであるため、重複した説明は省略する。
【００４８】
図９を参照して、ステップＳ７１では動画優先モードが選択されているか否かを判別し、ステップＳ７３では動画記録処理が実行状態であるか否かを判別する。動画優先モードが選択されているか、あるいは静止画優先モードが選択されていても動画記録処理が実行状態であれば、ステップＳ７５〜Ｓ８１で図５に示すステップＳ１〜Ｓ７と同様の処理を実行する。一方、静止画優先モードが選択されかつ動画記録処理が中断されていれば、ステップＳ８３で手振れ補正エリアＥＸの位置を初期化する。続くステップＳ８５では、キャラクタ画像エリア２８ｅに格納されたキャラクタデータを初期化する。ステップＳ８１またはＳ８５の処理が完了すると、ステップＳ７１に戻る。
【００４９】
図１０を参照して、ステップＳ９１では動画優先モードが選択されているか否かを判別し、ステップＳ９３では動画記録処理が実行状態であるか否かを判別する。動画優先モードが選択されているか、あるいは静止画優先モードが選択されていても動画記録処理が実行状態であれば、ステップＳ９５〜Ｓ９７で図６に示すステップＳ１３およびＳ１５と同様の処理を実行する。また、静止画優先モードが選択されかつ動画記録処理が中断されていれば、ステップＳ９９〜Ｓ１０３で図６に示すステップＳ１７〜Ｓ２１と同様の処理を実行する。
【００５０】
ステップＳ１０５では、フラグＦｓｔが“１”であるか否かを判別する。ここでＮＯであればステップＳ９１に戻り、ＹＥＳであればステップＳ１０７〜Ｓ１１３で図６に示すステップＳ２７〜Ｓ３３と同様の処理を実行してからステップＳ９１に戻る。
【００５１】
この実施例によれば、動画優先モードに従ってスルー画像を表示するときは、手振れ補正エリアＥＸに属する部分被写界像が図４（Ａ）に示す要領でＬＣＤモニタ３４に拡大表示され、手振れ補正処理が実行される。一方、静止画優先モードに従ってスルー画像を表示するときは、全体被写界像とキャラクタＳＰとが図４（Ｂ）に示す要領でＬＣＤモニタ３４に表示される。ただし、スルー画像を表示するとき、キャラクタＳＰが画面上を移動することはなく、キャラクタＳＰは動画記録を施される被写界のサイズを示すのみである。
【００５２】
動画記録処理が開始されると、スルー画像を表示するときの優先モードに関係なく、手振れ補正エリアＥＸに属する部分被写界像がＬＣＤモニタ３４に拡大表示され、手振れ補正処理が実行される。
【００５３】
このように、静止画優先モードでスルー画像を表示するときは、手振れ補正処理が停止される。これによって、消費電力の削減が可能となる。
【００５４】
なお、上述の実施例では、静止画優先モードにおいて注目される第２範囲を被写界像の全範囲としている。しかし、第１範囲（手振れ補正エリア）を包含する限り、第２範囲は被写界像の全範囲より狭くても良い。
【図面の簡単な説明】
【００５５】
【図１】この発明の一実施例の構成を示すブロック図である。
【図２】図１実施例に適用されるＳＤＲＡＭのマッピング状態の一例を示す図解図である。
【図３】図２実施例に適用されるＳＤＲＡＭの表示画像エリアへのアクセス動作の一例を示す図解図である。
【図４】（Ａ）は動画優先モードが選択されたときに表示されるスルー画像の一例を示す図解図であり、（Ｂ）は静止画優先モードが選択されたときに表示されるスルー画像の一例を示す図解図である。
【図５】図１実施例に適用されるＣＰＵの動作の一部を示すフロー図である。
【図６】図１実施例に適用されるＣＰＵの動作の他の一部を示すフロー図である。
【図７】図１実施例に適用されるＣＰＵの動作のその他の一部を示すフロー図である。
【図８】図１実施例に適用されるＣＰＵの動作のさらにその他の一部を示すフロー図である。
【図９】この発明の他の実施例に適用されるＣＰＵの動作の一部を示すフロー図である。
【図１０】この発明の他の実施例に適用されるＣＰＵの動作の他の一部を示すフロー図である。
【符号の説明】
【００５６】
１０  …ディジタルビデオカメラ  
１４  …イメージセンサ
２２  …動き検出回路
２４  …ＣＰＵ
２８  …ＳＤＲＡＭ
３４  …ＬＣＤ
３６  …キャラクタ合成回路
４２  …フラッシュメモリ
４６  …キー入力装置
【図１】
2006238041.tif 000003
【図２】
2006238041.tif 000004
【図３】
2006238041.tif 000005
【図４】
2006238041.tif 000006
【図５】
2006238041.tif 000007
【図６】
2006238041.tif 000008
【図７】
2006238041.tif 000009
【図８】
2006238041.tif 000010
【図９】
2006238041.tif 000011
【図１０】
2006238041.tif 000012